(57)【要約】【課題】原稿を載置すべき位置を利用者に認識させること。【解決手段】原稿台と、前記原稿台の主走査方向における読み取り範囲に光源からの出力光を照射するキャリッジを主走査方向に垂直な副走査方向に移動させて前記原稿台に載置された原稿を読み取る読取部と、前記光源を制御し、前記原稿台に前記原稿を載置すべき載置位置を示す前記出力光を出力させる制御部と、を備える画像読取装置を構成する。【選択図】図４
2020057953.tif 000002
【特許請求の範囲】
【請求項１】
原稿台と、
前記原稿台の主走査方向における読み取り範囲に光源からの出力光を照射するキャリッジを主走査方向に垂直な副走査方向に移動させて前記原稿台に載置された原稿を読み取る読取部と、
前記光源を制御し、前記原稿台に前記原稿を載置すべき載置位置を示す前記出力光を出力させる制御部と、
を備える画像読取装置。
【請求項２】
前記制御部は、
前記載置位置を示す前記出力光の明るさを、前記原稿を読み取る場合の前記出力光の明るさよりも小さくする、
請求項１に記載の画像読取装置。
【請求項３】
前記制御部は、
前記原稿台を通して目視可能な位置に前記キャリッジを移動させ、
前記載置位置に前記原稿が載置された場合に前記原稿が存在すべき前記主走査方向の範囲を、前記範囲に前記出力光を出力させて前記範囲外に前記出力光を出力させない状態、または、前記範囲に前記出力光を出力させず前記範囲外に前記出力光を出力させた状態によって示す、
請求項１または請求項２に記載の画像読取装置。
【請求項４】
原稿台と、
前記原稿台の主走査方向における読み取り範囲に光源からの出力光を照射するキャリッジを主走査方向に垂直な副走査方向に移動させて前記原稿台に載置された原稿を読み取る読取部と、
前記キャリッジを制御し、前記原稿台に前記原稿を載置すべき載置位置に前記キャリッジを移動させる制御部と、
を備える画像読取装置。
【請求項５】
前記制御部は、
前記載置位置に移動させる場合の前記キャリッジの移動速度を、前記原稿を読み取る場合の前記キャリッジの移動速度よりも速くする、
請求項４に記載の画像読取装置。
【発明の詳細な説明】
【技術分野】
【０００１】
本発明は、画像読取装置に関する。
【背景技術】
【０００２】
従来、原稿台に載置された原稿を読み取る技術が知られている。例えば、特許文献１においては、原稿台に載置されたカードを読み取る画像読取装置が開示されている。
【先行技術文献】
【特許文献】
【０００３】
【特許文献１】特開２０１０−２８３４９２号公報
【発明の概要】
【発明が解決しようとする課題】
【０００４】
上述した従来技術においては、原稿台の枠をガイドにすることなく、原稿台の枠から離れた位置にカードを載置して原稿を読み取る技術が開示されている（例えば、図１等）。しかし、原稿台の枠をガイドに利用することなく原稿台の載置位置に合うように原稿を載置する構成においては、原稿を載置位置に正確に載置することが困難である。
【課題を解決するための手段】
【０００５】
上記目的を達成するための画像読取装置は、原稿台と、原稿台の主走査方向における読み取り範囲に光源からの出力光を照射するキャリッジを主走査方向に垂直な副走査方向に移動させて原稿台に載置された原稿を読み取る読取部と、光源を制御し、原稿台に原稿を載置すべき載置位置を示す出力光を出力させる制御部と、を備える。
【０００６】
すなわち、画像読取装置は、載置位置を示す出力光をキャリッジから出力するため、利用者は、当該出力光を視認することによって載置位置を容易に把握することができる。このため、原稿台の枠等をガイドに利用しなくても載置位置に対して容易に原稿を載置することができる。
【０００７】
さらに、制御部は、載置位置を示す出力光の明るさが、原稿を読み取る場合の出力光の明るさよりも小さくなるように制御しても良い。この構成によれば、出力光に基づいて原稿の載置位置を視認する利用者が感じるまぶしさを抑制することができる。
【０００８】
さらに、制御部は、原稿台を通して目視可能な位置にキャリッジを移動させ、載置位置に原稿が載置された場合に原稿が存在すべき主走査方向の範囲を、範囲に出力光を出力させて範囲外に出力光を出力させない状態、または、範囲に出力光を出力させず範囲外に出力光を出力させた状態によって示す構成であっても良い。この構成によれば、利用者は、出力光が存在する部分、または出力光が存在しない部分に基づいて載置位置を容易に特定することができる。
【０００９】
さらに、画像読取装置が、原稿台と、原稿台の主走査方向における読み取り範囲に光源からの出力光を照射するキャリッジを主走査方向に垂直な副走査方向に移動させて原稿台に載置された原稿を読み取る読取部と、キャリッジを制御し、原稿台に原稿を載置すべき載置位置にキャリッジを移動させる制御部と、を備える構成であっても良い。
【００１０】
この構成によれば利用者は、当該キャリッジの位置を視認することによって載置位置を容易に把握することができる。このため、原稿台の枠等をガイドに利用しなくても載置位置に対して容易に原稿を載置することができる。
【００１１】
さらに、制御部は、載置位置に移動させる場合のキャリッジの移動速度を、原稿を読み取る場合のキャリッジの移動速度よりも速くする構成であっても良い。この構成によれば、移動速度を調整しない場合と比較して、載置位置を示すためにキャリッジを移動させる際に要する時間を短くすることができる。
【図面の簡単な説明】
【００１２】
【図１】画像読取装置のブロック図である。
【図２】読取部の構成を模式的に示す図である。
【図３】載置位置を示す図である。
【図４】載置位置の表示を示す図である。
【図５】載置位置を示す図である。
【図６】載置位置の表示を示す図である。
【図７】載置位置の表示を示す図である。
【図８】理想状態の搬送機構を示す図である。
【図９】ずれが生じた搬送機構を示す図である。
【図１０】載置位置の表示を示す図である。
【発明を実施するための形態】
【００１３】
ここでは、下記の順序に従って本発明の実施の形態について説明する。
（１）画像読取装置の構成：
（２）載置位置の表示：
（３）他の実施形態：
【００１４】
（１）画像読取装置の構成：
図１は、本発明の実施形態にかかる画像処理装置として機能する画像読取装置１の構成を示すブロック図である。画像読取装置１は、制御部１０と、メモリー２０と、ＵＩ（User Interface）部３０と、通信部４０と、印刷部５０と、読取部６０とを備える。
【００１５】
ＵＩ部３０は、タッチパネル式のディスプレイやキー入力部を含む。ディスプレイは、表示パネルと、表示パネルに重ねられたタッチ検出パネルとを備える。ディスプレイは、制御部１０の制御に基づいて様々な情報を表示パネルに表示する。また、ディスプレイはタッチ検出パネルに対するタッチ入力を受け付ける。キー入力部は、電源ボタンやスタートボタン、キャンセルボタン、数字ボタン等のキーに対する入力を受け付ける。タッチパネルやキー入力部において入力が受け付けられると、受け付けられた入力内容を示す情報が制御部１０に出力される。
【００１６】
通信部４０は、リムーバブルメモリーや、外部の機器と各種の通信プロトコルに従って通信するための通信インターフェース回路を含む。印刷部５０は、インクジェット方式や電子写真方式等の周知の印刷方式で種々の印刷媒体に印刷を実行するためのアクチュエーターやセンサー、駆動回路、機械部品等を備えている。本実施形態において、印刷部５０は、複数のトレイのそれぞれに印刷媒体を蓄積することが可能である。印刷部５０は、各トレイに蓄積された印刷媒体を一枚ずつ選び出し、搬送経路内を搬送し、搬送の過程で印刷された印刷媒体を排出する搬送機構を有している。なお、本実施形態においては、各トレイのそれぞれに同一サイズの印刷媒体を蓄積することで異なるサイズの印刷媒体に印刷を行うことができる。
【００１７】
読取部６０は、原稿台、キャリッジ、キャリッジを一定方向に沿って往復移動させるための図示しない搬送機構等を備えている。図２は、読取部６０の構成を模式的に示す図である。キャリッジＣｒには光源Ｌｓおよび図示しないラインセンサーが搭載されている。キャリッジＣｒはキャリッジＣｒの移動方向と垂直な方向に長い部材であり、当該キャリッジが延びる方向を主走査方向（図２のＤ1）、主走査方向に垂直なキャリッジＣｒの移動方向を副走査方向（図２のＤ2）と呼ぶ。
【００１８】
原稿台Ｐｔは板状のガラスを備え、当該板状の面に原稿を載置して読み取りを行うように構成されている。キャリッジＣｒの搬送機構は、原稿台Ｐｔおよび画像読取装置１の筐体の内側に配置され、原稿台Ｐｔの内側においてキャリッジＣｒを副走査方向に往復移動させる。
【００１９】
光源Ｌｓは、原稿台Ｐｔに向けて出力光を照射可能な光源であり、複数の光源が主走査方向に並べられている。原稿が原稿台Ｐｔに載置され、原稿台Ｐｔの下方にキャリッジＣｒが存在する状態で光源Ｌｓが点灯されると、光源からの出力光が原稿台Ｐｔを透過して原稿に照射され、原稿からの光がラインセンサーに入力する。読取部６０は、当該ラインセンサーの検出結果を取得することによって主走査方向の読み取りを行うことができる。
【００２０】
さらに、キャリッジＣｒは、搬送機構によって副走査方向に移動可能である。読取部６０は、キャリッジＣｒの移動やラインセンサーからの読み取りを制御して、副走査方向への移動と主走査方向の読み取りを繰り返すことで原稿を２次元的に走査する。任意のサイズの原稿の走査によってラインセンサーが出力したデータは読取画像データ２０ａとして読取部６０に取得される。制御部１０は、読取部６０から読取画像データ２０ａを取得し、メモリー２０に記録する。
【００２１】
読取部６０が備える原稿台Ｐｔの周囲には樹脂製の枠Ｆｒが設けられている。すなわち、原稿台Ｐｔの露出部分の形状が長方形になるになるように、原稿台Ｐｔに対して原稿を載置する面の縁に樹脂製の枠Ｆｒが設けられている。従って、枠Ｆｒの内側にキャリッジＣｒが配置されると、原稿台Ｐｔを通してキャリッジＣｒを目視可能である。本実施形態において、既定のサイズ（Ａ４等）の原稿は、当該枠Ｆｒの隅（図２において三角形で示された左上の隅）に原稿の頂点を合わせるように載置される。また、読取部６０は、既定のサイズと異なる任意のサイズの原稿（例えば、ＩＤカード等）を読み取ることが可能であり、特定の種類の原稿を読み取る際には、予め載置位置が決められている（詳細は後述）。
【００２２】
制御部１０は、ＣＰＵ，ＲＡＭ等を備え、メモリー２０に記録された種々のプログラムを実行することによって、画像読取装置１の各機能を実現する。例えば、制御部１０は、ＵＩ部３０から取得した上記の情報に基づいて利用者による入力内容を取得することができ、当該入力内容に対応する処理を実行することができる。例えば、制御部１０は、原稿読み取りの指示に応じて読取部６０を制御し、原稿を読み取らせる。また、制御部１０は、原稿コピーの指示に応じて、読取部６０を制御して原稿を読み取らせ、印刷部５０を制御して読み取った画像の印刷媒体への印刷を実行させる。むろん、画像読取装置１は、通信部４０を介して画像読取装置１に接続された外部の機器（例えば、他のコンピューターや携帯端末等）に制御されても良い。
【００２３】
（２）載置位置の表示：
本実施形態にかかる画像読取装置１は、読取部６０における原稿の読み取りを行う前に、原稿の載置位置を表示する機能を有している。本実施形態においては、光源Ｌｓによって主走査方向における載置位置が示され、キャリッジＣｒの位置によって副走査方向における載置位置が示される。
【００２４】
具体的には、制御部１０は、ＵＩ部３０のディスプレイに読み取り対象を選択するためのユーザーインターフェースを表示させ、読み取り対象の原稿のサイズを選択させる。利用者が選択した原稿のサイズが、既定のサイズと異なる特殊サイズである場合、読取部６０は、枠Ｆｒの隅に接していない載置位置に載置された原稿を読み取る。
【００２５】
図３は、特殊サイズであるＩＤカードを原稿台Ｐｔに載置する際の載置位置Ｓｐを破線によって示している。ＩＤカードは矩形であるが、載置位置Ｓｐの辺のいずれも枠Ｆｒに一致していない。すなわち、載置位置の主走査方向の範囲は主走査方向の位置Ｐ11〜位置Ｐ12であり、副走査方向の範囲は副走査方向の位置Ｐ21〜位置Ｐ22である。そして、位置Ｐ11，位置Ｐ12のいずれも枠と一致しておらず、位置Ｐ21，位置Ｐ22のいずれも枠と一致していない。従って、ＩＤカードの読み取りを行う際に、枠Ｆｒをガイドにすることはできない。
【００２６】
そこで、本実施形態においては、キャリッジＣｒにおいて点灯させる光源の位置と、キャリッジＣｒの位置とを調整することによって載置位置を表示するように構成されている。図４は、キャリッジＣｒによって載置位置が表示された状態を例示している。この図４に示すように、本実施形態においては、キャリッジＣｒの一辺が載置位置Ｓｐにおける主走査方向に平行な一辺に一致するように移動される。なお、図４に示す例においては、キャリッジＣｒの一辺が位置Ｐ21に配置されている例が示されているが、むろん、キャリッジＣｒの一辺が位置Ｐ22に配置されていても良い。また、キャリッジＣｒの他の一辺が載置位置Ｓｐの一辺にあわせられてもよい。いずれにしても、キャリッジＣｒの辺によって載置位置が表示された状態となる。
【００２７】
一方、本実施形態においては、載置位置Ｓｐの主走査方向の範囲（位置Ｐ11〜位置Ｐ12）と同一範囲に出力光を照射する光源が点灯される。図４においては、出力光が出力されている様子をキャリッジＣｒ上の太い実線Ｌｏで示している。このように、本実施形態においては、載置位置Ｓｐの主走査方向の範囲に出力光を照射する光源が点灯され、載置位置Ｓｐの主走査方向の範囲外に出力光を照射する光源が非点灯とされる。
【００２８】
制御部１０は、以上のようなキャリッジＣｒによる表示を実行できるように構成されている。すなわち、本実施形態において原稿の読み取りやコピーを行う際に、利用者は、予め決められたサイズから読み取り対象の原稿のサイズを選択することができる。当該選択を実現するため、各サイズの原稿の読み取り条件を示す読取条件データ２０ｂが予めメモリー２０に記録されている。
【００２９】
すなわち、本実施形態においては、読取対象の原稿のサイズに対して、原稿を原稿台Ｐｔに載置すべき載置位置と他の読取条件（解像度、色数等）を示す情報が対応づけられ、読取条件データ２０ｂとして定義されている。制御部１０は、読取条件データ２０ｂを参照して指定可能な原稿のサイズを特定し、ＵＩ部３０のディスプレイに選択肢として表示させる。
【００３０】
ＵＩ部３０を利用して利用者が読み取り対象の原稿のサイズを選択すると、制御部１０は、選択されたサイズの原稿を読み取る処理を行う。ただし、利用者が選択した原稿のサイズが、既定のサイズと異なる特殊サイズであり、載置位置の辺が枠Ｆｒに一致していない場合、載置位置の表示が行われる。
【００３１】
この際、制御部１０は、読取条件データ２０ｂを参照し、読み取り対象の原稿の載置位置を取得する。例えば、図３に示すＩＤカードが読み取り対象であれば、主走査方向の位置Ｐ11，位置Ｐ12を取得し、副走査方向の位置Ｐ21，位置Ｐ22を取得する。そして、制御部１０は、読取部６０に対して、主走査方向の位置Ｐ11〜位置Ｐ12に出力光を照射する光源を点灯させ、他の光源を消灯させる制御指示を出力する。この結果、読取部６０は、キャリッジＣｒの光源を制御し、主走査方向の位置Ｐ11〜位置Ｐ12に出力光を照射する光源を点灯させ、他の光源を消灯させた状態とする。
【００３２】
なお、本実施形態においては、載置位置の表示を行う際に制御部１０が、読取部６０に対して、載置位置の表示のための制御であることを示す信号を出力する。この場合、読取部６０は、原稿を読み取る場合の出力光の明るさよりも小さい明るさで光源を点灯させる。この構成によれば、出力光に基づいて原稿の載置位置を視認する利用者が感じるまぶしさを抑制することができる。
【００３３】
さらに、制御部１０は、読取部６０に対して、副走査方向の位置Ｐ21，位置Ｐ22のいずれかとキャリッジＣｒの辺とを一致させるための制御信号を出力する。この結果、読取部６０は、キャリッジＣｒの搬送機構を制御し、副走査方向の位置Ｐ21，位置Ｐ22のいずれかとキャリッジＣｒの辺とが一致するようにキャリッジＣｒを移動させる。
【００３４】
なお、本実施形態においては、読取部６０が載置位置の表示のための制御であることを示す信号を取得している場合、読取部６０は、搬送機構を制御し、載置位置に移動させる場合のキャリッジＣｒの移動速度を、原稿を読み取る場合のキャリッジＣｒの移動速度よりも速くする。この構成によれば、移動速度を調整しない場合と比較して、載置位置を示すためにキャリッジを移動させるために必要な時間を短くすることができる。
【００３５】
以上の制御が行われると、例えば、図４に示すように、光源からの出力光の照射範囲とキャリッジＣｒの位置とによって原稿の載置位置が示される。この場合、利用者は、原稿台Ｐｔに原稿を載置して副走査方向に移動させるなどして、キャリッジＣｒの辺に対して原稿の短辺を合わせる。また、利用者は、原稿の短辺が光源からの出力光の照射範囲に一致するように主走査方向の位置を合わせる。
【００３６】
以上の構成において利用者は、キャリッジＣｒの位置を視認することによって載置位置を容易に把握することができ、当該出力光を視認することによって載置位置を容易に把握することができる。従って、利用者は、原稿台の枠等をガイドに利用しなくても載置位置に対して容易に原稿を載置することができる。
【００３７】
（３）他の実施形態：
以上の実施形態は本発明を実施するための一例であり、他にも種々の実施形態を採用可能である。例えば、本発明の一実施形態にかかる画像読取装置は、読み取り以外の目的にも使用される電子機器である複合機等に備えられていても良いし、読み取り機能以外の機能を備えない画像読取装置に適用されても良い。さらに、以上の実施形態のようにキャリッジの光源からの出力光またはキャリッジの位置の少なくとも一方によって載置位置を示す手法は、プログラムの発明、方法の発明やスキャンデータの生成方法の発明としても実現可能である。
【００３８】
さらに、制御部１０の少なくとも１部における処理を、画像読取装置１に接続されたコンピューターのドライバプログラム又はアプリケーションプログラムに実施させてもよい。この場合、コンピューターを画像読取装置の一部とみなすことができる。
【００３９】
さらに、上述の実施形態は一例であり、一部の構成が省略されたり、他の構成が追加されたりする実施形態が採用され得る。例えば、載置位置は、主走査方向または副走査方向の一方のみについて表示される構成であっても良い。
【００４０】
図５〜図７は、他の実施形態を説明するための図である。本実施形態においては、原稿の頂点と枠Ｆｒの隅とが一致している既定のサイズ（例えば、Ａ４サイズ）の原稿の載置位置を表示する構成が備えられている。図５は、原稿台Ｐｔに既定のサイズの原稿を載置する載置位置を示す図である。すなわち、図５においては、既定のサイズの原稿を横向きに載置した場合の載置位置Ｓｐ1と、縦向きに載置した場合の載置位置Ｓｐ2を、破線，一点鎖線のそれぞれによって示している。なお、本実施形態においては、枠Ｆｒの長手辺と原稿の長手辺が平行である状態が横向き、垂直である状態が縦置きである。
【００４１】
同一のサイズの原稿であっても、原稿を原稿台Ｐｔに載置する方向は異なり得る。すなわち、本実施形態においては、ＵＩ部３０のディスプレイに原稿のサイズと原稿を原稿台Ｐｔに載置する方向との組み合わせが選択肢として表示される。従って、同一のサイズの原稿であっても異なる載置位置となり得る。
【００４２】
これらの載置位置を表示するための構成は図１と同様であり、読取条件データ２０ｂには、既定のサイズの原稿の載置位置を示す情報も含まれている。また、制御部１０における処理が上述の実施形態と異なり、制御部１０は、既定のサイズの原稿が選択された場合であっても載置位置を表示するための処理を行う。すなわち、ＵＩ部３０のディスプレイに表示されたユーザーインターフェースによって利用者が既定のサイズの原稿および原稿を原稿台Ｐｔに載置する方向を選択すると、制御部１０は、読取条件データ２０ｂを参照し、当該選択されたサイズの原稿を選択された方向に載置する際の載置位置を特定する。
【００４３】
そして、制御部１０は、載置位置に基づいて、キャリッジＣｒの位置と点灯すべきキャリッジＣｒの光源の位置とを特定し、読取部６０に対して指示する。この結果、読取部６０は、指示された位置にキャリッジＣｒを移動させ、指示された光源を点灯させる。
【００４４】
図６は、既定のサイズの原稿を縦置きする場合の載置位置Ｓｐ2を表示する例である。本例においては、原稿の角が枠Ｆｒの隅に合わせて載置されるため、枠Ｆｒに一致しない辺の位置を示すためにキャリッジＣｒの位置が決められる。すなわち、読取部６０は、図６に示す副走査方向Ｄ2の位置Ｐｐ2にキャリッジＣｒの辺が一致するようにキャリッジＣｒを移動させる。縦置きの原稿においては、枠Ｆｒの長手片の一方から垂直な方向に原稿の長手辺が存在するため、読取部６０は、枠Ｆｒの長手片の一方から既定の原稿の長手片の長さに相当する範囲に出力光を照射する光源を点灯させ、他の光源を消灯させる。この結果、図６において太い実線Ｌｏで示す範囲が点灯する。この状態において、利用者は、キャリッジＣｒから出力された出力光の範囲に基づいて原稿の載置方向が縦方向であることを認識することができる。また、キャリッジＣｒの位置と枠Ｆｒに基づいて原稿を載置する載置位置を把握することができる。
【００４５】
図７は、既定のサイズの原稿を横置きする場合の載置位置Ｓｐ1を表示する例である。本例においては、原稿の角が枠Ｆｒの隅に合わせて載置されるため、枠Ｆｒに一致しない辺の位置を示すためにキャリッジＣｒの位置が決められる。すなわち、読取部６０は、図７に示す副走査方向Ｄ2の位置Ｐｐ1にキャリッジＣｒの辺が一致するようにキャリッジＣｒを移動させる。横置きの原稿においては、枠Ｆｒの長手片の一方から垂直な方向に原稿の短手辺が存在するため、読取部６０は、枠Ｆｒの長手片の一方から既定の原稿の短手辺の長さに相当する範囲に出力光を照射する光源を点灯させ、他の光源を消灯させる。この結果、図７において太い実線Ｌｏで示す範囲が点灯する。この状態において、利用者は、キャリッジＣｒから出力された出力光の範囲に基づいて原稿の載置方向が横方向であることを認識することができる。また、キャリッジＣｒの位置と枠Ｆｒに基づいて原稿を載置する載置位置を把握することができる。
【００４６】
さらに、キャリッジＣｒの光源やキャリッジＣｒの位置によって原稿の載置位置を表示する構成は、キャリッジＣｒの取付位置や移動方向が理想的な状態からずれている場合に、ずれの影響を抑制するための載置位置を表示するために利用可能である。図８〜図１０は、キャリッジＣｒの取付位置や移動方向が理想的な状態からずれている場合において載置位置が表示される構成例を示す図である。
【００４７】
図８は、キャリッジＣｒの搬送機構を説明するための図である。キャリッジＣｒは、副走査方向Ｄ2に延びるガイドレールＲに取り付けられ、ガイドレールＲに沿って移動するように構成されている。ガイドレールＲが設計通りに取り付けられ、キャリッジＣｒの位置や移動方向に誤差がない場合、キャリッジＣｒは副走査方向Ｄ2に正確に往復移動することができる。従って、この場合、原稿台Ｐｔの枠Ｆｒに沿った範囲を読み取り範囲とすることができ、例えば、枠Ｆｒの３辺と辺を共有する読み取り範囲Ｒｓを設定することができる。
【００４８】
一方、図９は、ガイドレールＲの方向が理想状態からずれ、傾いている例を示している（ずれの角度は強調して示している）。このようなずれが発生している場合、キャリッジＣｒの移動方向は理想状態と異なり、副走査方向Ｄ2に対して傾く。この場合、図８に示す理想状態と同一の読み取り範囲Ｒｓで読み取りを行うと、読み取りが行われない領域が発生し得る。例えば、図９に示す枠Ｆｒの左上隅には読み取り範囲Ｒｓに含まれない領域が存在し、この領域に原稿が載置されると読み取りが行われない。
【００４９】
そこで、この実施形態においては、設計からの最大のずれを予め（例えば、統計等によって）特定し、最大のずれが発生した場合であっても読み取ることが可能な範囲Ｒｓ1が載置位置となるように予め決められている。このような場合に、この載置位置をキャリッジＣｒの位置や光源からの出力光によって示すように構成されていても良い。
【００５０】
図１０は、範囲Ｒｓ1と同一サイズの原稿を原稿台Ｐｔに載置する場合、すなわち、範囲Ｒｓ1が載置位置である場合の例を示している。この例において、光源から出力される出力光Ｌｏを太い実線で示しており、出力光Ｌｏが、範囲Ｒｓ1の主走査方向Ｄ1の端から端まで存在するように光源が点灯される。また、この例においては、光源からの出力光Ｌｏの端が範囲Ｒｓ1の一頂点Ｖに一致するようにキャリッジＣｒの位置が決められる。
【００５１】
このように載置位置を表示するための構成は図１と同様であり、読取条件データ２０ｂには、原稿のサイズに対して載置位置が対応づけられた情報が含まれている。ＵＩ部３０のディスプレイに表示されたユーザーインターフェースによって利用者が原稿のサイズを選択すると、制御部１０は、読取条件データ２０ｂを参照し、当該選択されたサイズの原稿を原稿台Ｐｔに載置する際の載置位置を特定する。
【００５２】
そして、制御部１０は、載置位置に基づいて、キャリッジＣｒの位置と点灯すべきキャリッジＣｒの光源の位置とを特定し、読取部６０に対して指示する。この結果、読取部６０は、指示された位置にキャリッジＣｒを移動させ、指示された光源を点灯させ、例えば、図１０のような状態を実現する。この状態において、利用者は、キャリッジＣｒから出力された出力光の範囲に基づいて原稿の主走査方向および副走査方向の載置位置を認識することができる。従って、枠Ｆｒの辺と矩形の原稿の辺とを平行に合わせながら、原稿を滑らせるなどして出力光が存在する範囲と主走査方向の原稿の範囲を一致させ、原稿の頂点を出力光の上方の端部に合わせることにより、原稿を載置位置に載置することができる。
【００５３】
原稿台は、読み取り対象の原稿を載置することができればよく、例えば、フラットベッド形式の読取装置における原稿台が想定される。なお、原稿台は、光源からの出力光やキャリッジの位置を視認可能であるように構成されていることが好ましく、この意味で光を透過する素材（例えば、ガラス等）によって構成されていることが好ましい。
【００５４】
読取部は、原稿台の主走査方向における読み取り範囲に光源からの出力光を照射するキャリッジを主走査方向に垂直な副走査方向に移動させて原稿台に載置された原稿を読み取ることができればよい。すなわち、読取部は、キャリッジによって２方向の走査を行うことにより、原稿台に載置された原稿を読み取ることができればよい。読取部は、このような走査を行うことで原稿を読み取るため、読み取り可能な原稿の大きさや読み取りが行われる領域に任意性がある。そこで、光源からの出力光やキャリッジの位置によって載置位置を示すことにより、利用者に載置位置を示すことが可能になる。
【００５５】
キャリッジは、原稿台の主走査方向における読み取り範囲に光源からの出力光を照射することができればよい。すなわち、キャリッジは、主走査方向に渡る読み取り範囲に光源からの出力光を照射することにより、主走査方向における原稿の読み取りを可能にすることができればよい。
【００５６】
主走査方向は、当該方向においてはキャリッジが移動しなくても原稿が読み取られる方向であり、キャリッジの移動方向と垂直の方向（多くの場合、画像読取装置が備えるラインセンサーが延びる方向）である。光源は、原稿を読み取るための出力光を出力可能であるとともに、出力光によって原稿の載置位置である部分と載置位置でない部分を示すことができればよい。この構成としては、例えば、主走査方向において出力光が出力される部分と、出力光が出力されない部分とを設ける構成が挙げられる。出力光が出力される部分と、出力光が出力されない部分とを設けるための構成としては、種々の構成を採用可能であり、複数の光源を点灯させ、または非点灯とさせることによって、出力光が出力される部分と、出力光が出力されない部分とを設ける構成が挙げられる。
【００５７】
さらに、上述の実施形態においては、載置位置に原稿が載置された場合に原稿が存在すべき主走査方向の範囲を照射する光源を点灯させ、他の光源を非点灯としていたが、点灯と非点灯は逆であっても良い。すなわち、載置位置に原稿が載置された場合に原稿が存在すべき主走査方向の範囲を照射する光源を非点灯とし、他の光源を点灯させてもよい。この構成においても、利用者は、光源の出力光や出力光で照射されていない部分を視認しながら載置位置に原稿を配置することができる。
【００５８】
制御部は、光源を制御し、原稿台に原稿を載置すべき載置位置を示す出力光を出力させることができればよい。すなわち、主走査方向の載置位置を示す場合、制御部は、光源を制御して載置位置を示す出力光を出力させれば良い。また、制御部はキャリッジを制御し、原稿台に原稿を載置すべき載置位置にキャリッジを移動させることができればよい。すなわち、副走査方向の載置位置を示す場合、制御部は、キャリッジを制御して載置位置に移動させれば良い。
【００５９】
載置位置は、原稿を載置すべき位置であり、載置位置を示すための手法は種々の手法が挙げられる。例えば、原稿台に原稿が載置された場合に原稿が占める領域が出力光で示されても良いし、原稿の端が出力光で示されてもよい。また、原稿台に原稿が載置された場合における原稿の端の位置がキャリッジの特定の部位で示されてもよい。
【００６０】
さらに本発明は、コンピューターが実行するプログラムや、方法としても適用可能である。また、以上のようなプログラム、方法は、単独の装置として実現される場合もあれば、複数の装置が備える部品を利用して実現される場合もあり、各種の態様を含むものである。また、一部がソフトウェアであり一部がハードウェアであったりするなど、適宜、変更可能である。さらに、プログラムの記録媒体としても発明は成立する。むろん、そのプログラムの記録媒体は、磁気記録媒体であってもよいし光磁気記録媒体であってもよいし、今後開発されるいかなる記録媒体においても全く同様に考えることができる。
【符号の説明】
【００６１】
１…画像読取装置、１０…制御部、２０…メモリー、２０ａ…読取画像データ、２０ｂ…読取条件データ、３０…ＵＩ部、４０…通信部、５０…印刷部、６０…読取部、Ｃｒ…キャリッジ、Ｄ1…主走査方向、Ｄ2…副走査方向、Ｆｒ…枠、Ｌｏ…出力光、Ｌｓ…光源、Ｐｔ…原稿台、Ｒ…ガイドレール、Ｒｓ…読み取り範囲、Ｓｐ…載置位置、Ｓｐ1…載置位置、Ｓｐ2…載置位置
【図１】
2020057953.tif 000003
【図２】
2020057953.tif 000004
【図３】
2020057953.tif 000005
【図４】
2020057953.tif 000006
【図５】
2020057953.tif 000007
【図６】
2020057953.tif 000008
【図７】
2020057953.tif 000009
【図８】
2020057953.tif 000010
【図９】
2020057953.tif 000011
【図１０】
2020057953.tif 000012